(57)【要約】【課題】瓦の所定位置に、容易かつ正確に貫通孔を開設することができる穿孔治具を提供する。【解決手段】穿孔治具１０は、穿孔工具３０を瓦４０の表面４０ａに対して一定姿勢に保持する工具保持手段１１と、工具保持手段１１を瓦４０の表面４０ａ上の一定位置に保持するため瓦４０の周縁部の複数箇所（辺縁部４０Ｌ，４０Ｒ，４０Ｕ）に着脱可能に係合する位置決め手段１２と、位置決め手段１２に対する工具保持手段１１の相対位置を変更する位置変更手段１３と、を備えている。位置決め手段１２として、複数の支持部材１４，１５と、ガイド部材１６と、ガイドストッパ１７と、を設け、位置変更手段１３として、辺縁部４０Ｌ，４０Ｒと直交する矢線Ｓ方向に沿って工具保持手段１１を位置変更可能に固定するための係止部材１８がガイド部材１６に着脱可能に取り付けられている。【選択図】図１
2012076318.tif 000002
【特許請求の範囲】
【請求項１】
穿孔工具を瓦の表面に対して一定姿勢に保持する工具保持手段と、前記工具保持手段を瓦の表面上の一定位置に保持するため瓦の周縁部の複数箇所に着脱可能に係合する位置決め手段と、前記位置決め手段に対する前記工具保持手段の相対位置を変更する位置変更手段と、を備えたことを特徴とする穿孔治具。
【請求項２】
前記位置決め手段として、周縁部の平面視形状が略四角形をなす瓦の対向する辺縁部に着脱可能に係合する複数の支持部材と、前記支持部材の間で前記瓦の表面上を跨ぐ状態に支持されたガイド部材と、前記辺縁部と平行方向の前記ガイド部材の移動を拘束するガイドストッパと、を設けたことを特徴とする請求項１記載の穿孔治具。
【請求項３】
前記位置変更手段として、前記辺縁部と直交する方向に沿って工具保持手段を位置変更可能に固定するための係止部材を前記ガイド部材に取り付けたことを特徴とする請求項１または２記載の穿孔治具。
【請求項４】
前記工具保持手段が前記係止部材に着脱可能であることを特徴とする請求項３記載の穿孔治具。
【請求項５】
瓦の表面と前記係止部材との間に介在する支持脚を設けた請求項３または４記載の穿孔治具。
【発明の詳細な説明】
【技術分野】
【０００１】
本発明は、穿孔工具を用いて瓦に貫通孔を開設する際に使用する穿孔治具に関する。
【背景技術】
【０００２】
ソーラパネル、太陽光温水パネルなどの屋上設置物を建物の屋根瓦上に取り付ける屋上支持構造として、従来、瓦を貫通して建物の野地板上に立設された支持部材を使用したものがある（例えば、特許文献１参照。）。特許文献１などに記載された屋上支持構造を構築する場合、穿孔工具である回転ドリルや振動ドリルを使用して瓦に貫通孔を開設する作業が行われている。
【０００３】
また、被穿孔体の曲面部分に穿孔する際に使用される穿孔治具が提案されている（例えば、特許文献２参照。）。
【先行技術文献】
【特許文献】
【０００４】
【特許文献１】特開平９−１６５８８３号公報
【特許文献２】特開２００６−３１２２２２号公報
【発明の概要】
【発明が解決しようとする課題】
【０００５】
回転ドリルや振動ドリルなどの穿孔工具を使用して瓦に貫通孔を開設する場合、瓦の表面には滑り易い傾斜面や曲面が存在するので、穿孔作業開始時に穿孔工具が滑ったり、逃げたりすることが多い。このため、所定位置に正確に貫通孔を開設することは、熟練技能者であっても、極めて困難な作業となっている。
【０００６】
一方、特許文献２記載の穿孔治具は、種々の大きさ及び曲がり具合に対応することができるが、瓦に貫通孔を開口する作業には不向きである。
【０００７】
本発明が解決しようとする課題は、瓦の所定位置に、容易かつ正確に貫通孔を開設することができる穿孔治具を提供することにある。
【課題を解決するための手段】
【０００８】
本発明の穿孔治具は、穿孔工具を瓦の表面に対して一定姿勢に保持する工具保持手段と、前記工具保持手段を瓦の表面上の一定位置に保持するため瓦の周縁部の複数箇所に着脱可能に係合する位置決め手段と、前記位置決め手段に対する前記工具保持手段の相対位置を変更する位置変更手段と、を備えたことを特徴とする。
【０００９】
ここで、前記位置決め手段として、周縁部の平面視形状が略四角形をなす瓦の対向する辺縁部に着脱可能に係合する複数の支持部材と、前記支持部材の間で前記瓦の表面上を跨ぐ状態に支持されたガイド部材と、前記辺縁部と平行方向の前記ガイド部材の移動を拘束するガイドストッパと、を設けることが望ましい。
【００１０】
また、前記位置変更手段として、前記辺縁部と直交する方向に沿って工具保持手段を位置変更可能に固定するための係止部材を前記ガイド部材に取り付けることが望ましい。
【００１１】
この場合、前記工具保持手段が、前記係止部材に着脱可能であることが望ましい。
【００１２】
一方、瓦の表面と前記工具保持手段との間に介在する支持脚を設けることができる。
【発明の効果】
【００１３】
本発明により、瓦の所定位置に、容易かつ正確に貫通孔を開設することができる穿孔治具を提供することができる。
【図面の簡単な説明】
【００１４】
【図１】本発明の実施形態である穿孔治具を示す斜視図である。
【図２】図１中の矢線Ａ方向から見た使用状態を示す図である。
【図３】その他の使用状態を示す図である。
【発明を実施するための形態】
【００１５】
図１に示すように、穿孔治具１０は、穿孔工具３０を瓦４０の表面４０ａに対して一定姿勢に保持する工具保持手段１１と、工具保持手段１１を瓦４０の表面４０ａ上の一定位置に保持するため瓦４０の周縁部の複数箇所（辺縁部４０Ｌ，４０Ｒ，４０Ｕ）に着脱可能に係合する位置決め手段１２と、位置決め手段１２に対する工具保持手段１１の相対位置を変更する位置変更手段１３と、を備えている。
【００１６】
位置決め手段１２として、平面視形状が略四角形をなす瓦４０の対向する一対の辺縁部４０Ｌ，４０Ｒに着脱可能に係合する複数の支持部材１４，１５と、支持部材１４，１５の間で瓦４０の表面４０ａ上を跨ぐ状態に支持されたガイド部材１６と、辺縁部４０Ｌ，４０Ｒと平行方向（矢線Ｔ方向）へのガイド部材１６の移動を拘束するガイドストッパ１７と、を設けている。
【００１７】
位置変更手段１３として、辺縁部４０Ｌ，４０Ｒと直交する方向（矢線Ｓ方向）に沿って工具保持手段１１を位置変更可能に固定するための係止部材１８が、ガイド部材１６に着脱可能に取り付けられている。また、瓦４０の表面４０ａと係止部材１８との間に介在する支持脚１９が設けられている。
【００１８】
支持部材１４，１５はいずれも平板材で形成され、支持部材１４はその平面部１４ａを瓦４０の辺縁部４０Ｌに当接させた状態で係合され、支持部材１５はその平面部１５ａを辺縁部４０Ｒに対向させ、平面部１５ａを貫通して螺合された支持ボルト２０の先端部２０ａを辺縁部４０Ｒに当接させた状態で係合されている。支持ボルト２０を正転、逆転させることにより、その先端部２０ａを辺縁部４０Ｒに接触、離隔させることができる。
【００１９】
平板材で形成されたガイド部材１６は、その両端部１６ａ，１６ｂをそれぞれ支持部材１４，１５に固着することにより、瓦４０の表面４０ａを跨ぐ状態で支持されている。ガイド部材１６には、辺縁部４０Ｌ，４０Ｒと直交する方向（矢線Ｓ方向）に沿って複数列の長孔２１，２２，２３が開設されている。ガイド部材１６上には、係止部材１８が装着され、係止部材１８から長孔２１，２３を貫通した状態で蝶ネジ２４，２５が螺着されている。
【００２０】
また、係止部材１８から長孔２２を貫通した状態で支持ボルト１９が螺着され、支持ボルト１９下端には接触部１９ｂが設けられている。支持ボルト１９を正転逆転させることにより、接触部１９ｂを昇降させることができる。
【００２１】
ガイド部材１６上の一方の端部１６ｂ寄りの部分には、Ｌ字形状をしたガイドストッパ１７の基端部１７ｂが複数のネジ２７で固定されている。ガイドストッパ１７の先端部１７ａは瓦４０の辺縁部４０Ｕの一部に当接した状態で係合している。
【００２２】
蝶ネジ２４，２５を緩めれば、係止部材１８は辺縁部４０Ｌ，４０Ｒと直交する方向（矢線Ｓ方向）に移動可能であり、蝶ネジ２４，２５を締め付けることにより、ガイド部材１６の長孔２１，２３の長径の範囲内の任意の位置に係止部材１８を固定することができる。また、ガイド部材１６と係止部材１８とを常に直交状態に保つため、係止部材１８の下面には、ガイド部材１６の側面部１６ｃに沿ってスライド可能な摺動部材２６が固着されている。なお、図示していないが、ガイド部材１６の表面には係止部材１８の位置を確認するための目盛りが設けられている。
【００２３】
長方形状の平板材で形成された係止部材１８は、その長辺方向が辺縁部４０Ｌ，４０Ｒと平行をなす状態でガイド部材１６上に装着され、複数の工具保持手段１１がそれぞれ長方形の短辺寄りの部分に複数のネジ２８で着脱可能に固定されている。各工具保持手段１１は、穿孔工具３０が嵌入可能な円筒状の本体部１１ａと、本体部１１ａの下端付近に設けられたフランジ部１１ｂと、を有し、本体部１１ａの下端部１１ｃは係止部材１８を貫通して、係止部材１８の下面に露出している。
【００２４】
図１，図２に基づいて穿孔治具１０の使い方について説明する。瓦４０の辺縁部４０Ｌから穿孔予定位置までの距離に合わせて、ガイド部材１６に沿って係止部材１８を移動調整することにより、支持部材１４の平面部１４ａから工具保持手段１１の本体部１１ａの軸心１１ｄまでの距離を設定し、蝶ネジ２４，２５を締め付けることによって係止部材１８をガイド部材１６に固定する。また、支持部材１５の支持ボルト２０を緩め、その先端部２０ａと支持部材１４の平面部１４ａとの距離が、瓦４０の辺縁部４０Ｌ，４０Ｒ間の距離より少し広がった状態とする。
【００２５】
次に、所定の基準面Ｂ上に載置された瓦４０の辺縁部４０Ｌ，４０Ｒを支持部材１４，１５の間に挟むようにして穿孔治具１０を瓦４０に装着する。次に、ガイドストッパ１７の先端部１７ａを瓦４０の辺縁部４０Ｕに当接させることにより、辺縁部４０Ｌ，４０Ｒと平行方向（矢線Ｔ方向）のガイド部材１６の移動を拘束した後、支持ボルト２０を回転させ、その先端部２０ａを０ａが瓦４０の辺縁部４０Ｒに当接するまで締め付け、係止部材１８の位置を定める。そして、支持脚１９の頭部１９ａを回転させて接触部１９ｂを瓦４０の表面４０ａに当接させれば、穿孔治具１０のセッティングが完了する。
【００２６】
これにより、瓦４０に対する工具保持手段１１の位置が一義的に定められるので、図２に示すように、穿孔工具３０の先端部を工具保持手段１１の本体部１１ａ内に挿入して瓦４０の表面４０ａに当接させ、穿孔工具３０を作動させれば、瓦４０の所定位置に、容易かつ正確に貫通孔Ｈ１を開設することができる。
【００２７】
前述したように、蝶ネジ２４，２５を緩めれば、係止部材１８はガイド部材１６に沿って移動可能であるため、図３に示すように、瓦４０の辺縁部４０Ｌ，４０Ｒ間の中央付近に係止部材１８の位置を設定すれば、瓦４０の谷部分に貫通孔Ｈ２を開設することもできる。
【００２８】
図１に示すように、穿孔治具１０においては、係止部材１８の長辺方向に沿って複数の工具保持手段１１を配置することにより、一旦、瓦４０にセッティングした穿孔治具１０を動かすことなく、瓦４０の辺縁部４０Ｌ，４０Ｒと平行方向に沿って複数の貫通孔Ｈ１を開設することができるようにしているが、これに限定しないので、工具保持手段１１の個数や配置形態などは任意に設定することができる。
【００２９】
また、工具保持手段１１は係止部材１８に着脱可能であるため、本体部１１ａの内径が異なる複数の工具保持手段１１を用意しておいて、選択的に装着すれば、施工条件に適した内径の貫通孔を瓦４０に開設することができる。さらに、図１に示すように、ガイドストッパはネジ２７を用いてガイド部材１６に着脱可能に固定されているため、基端部１７ｂ側に、ネジ２７が貫通可能な長孔１７ｃを開設しておけば、先端部１７ａによる拘束位置を変更することも可能である。
【産業上の利用可能性】
【００３０】
本発明の穿孔治具は、ソーラパネルや太陽光温水パネルなどの屋上設置物を建物の屋根瓦上に取り付ける施工現場などにおいて、穿孔工具を用いて瓦に貫通孔を開設する際の補助器具として広く利用することができる。
【符号の説明】
【００３１】
１０  穿孔治具
１１  工具保持手段
１１ａ  本体部
１１ｂ  フランジ
１１ｃ  下端部
１１ｄ  軸心
１２  位置決め手段
１３  位置変更手段
１４，１５  支持部材
１４ａ，１５ａ  平面部
１６  ガイド部材
１６ａ，１６ｂ  端部
１６ｃ  側面部
１７  ガイドストッパ
１７ａ，２０ａ  先端部
１７ｂ  基端部
１７ｃ，２１，２２，２３  長孔
１８  係止部材
１９  支持脚
１９ａ  頭部
１９ｂ  接触部
２０  支持ボルト
２４，２５  蝶ネジ
２６  摺動部材
２７，２８  ネジ
３０  穿孔工具
４０  瓦
４０ａ  表面
４０Ｄ，４０Ｌ，４０Ｒ，４０Ｕ  辺縁部
Ａ，Ｓ，Ｔ  矢線
Ｂ  基準面
Ｈ１，Ｈ２  貫通孔
【図１】
2012076318.tif 000003
【図２】
2012076318.tif 000004
【図３】
2012076318.tif 000005